(57)【要約】      （修正有）【課題】骨組等を有することなく、和紙材料のみで中空の立体形状が形作られた和紙成形品を提供する。【解決手段】和紙原料を水に溶かした面状の成形材料を成形型の型面に付着させ水分を除去して脱型して中空の立体形状としたことを特徴とし、前記成形材料はこうぞ、パルプ、糊の水溶物から構成することができ、着色材を混入することもできる。成形品は置物又は壁掛け若しくはオブジェであり、前記中空部には光源を配置することができる。【選択図】図１
0003144905.tif 000002
【実用新案登録請求の範囲】
【請求項１】
和紙原料を水に溶かした面状の成形材料を成形型の型面に付着させ水分を除去して脱型して中空の立体形状としたことを特徴とする和紙成形品。
【請求項２】
前記成形材料がこうぞ、パルプ、糊の水溶物から構成されている請求項１に記載の和紙成形品。
【請求項３】
前記成形材料に着色材が混入されている請求項１又は２に記載の和紙成形品
【請求項４】
前記成形型の型面に付着される成形材料が、厚み１〜４ｍｍ、大きさが一辺１００〜３００ｍｍの方形面状物から構成される請求項１ないし３のいずれか１項に記載の和紙成形品。
【請求項５】
前記成形型の一方の側から他方の側へ流通路が形成されていて、前記流通路から型内に流通される乾燥用エアによって型内の成形材料の水分が強制除去される請求項１ないし４のいずれか１項に記載の和紙成形品。
【請求項６】
成形品の表面に柿渋等の塗料が塗布されている請求項１ないし５のいずれか１項に記載の和紙成形品。
【請求項７】
成形品が置物又は壁掛け若しくはオブジェである請求項１ないし６のいずれか１項に記載の和紙成形品。
【請求項８】
前記中空部に光源が配置されて成形品が光透過されるように構成された請求項７に記載の和紙成形品。
【考案の詳細な説明】
【技術分野】
【０００１】
この考案は、和紙成形品に関し、特には、骨組等を有することなく、和紙材料のみで中空の立体形状が形作られた和紙成形品に関する。
【背景技術】
【０００２】
一般に和紙から形成される立体形状の製品としては、提灯やあんどん、ランプシェード、置物、人形類が多いが、基本的には、骨格体の上面に和紙を貼っていくものが多い（特許文献１）。これに対して、切り込みを入れた和紙を木型に貼り付け重ね乾燥した後に切断して脱型し、これに着色したり顔や胸を形成して紙人形を作ることも提案されている（特許文献２）。
【特許文献１】実用新案登録第３０７９９４０号
【特許文献２】特開２００２−５２２６２
【考案の開示】
【考案が解決しようとする課題】
【０００３】
この考案は、和紙を製造する直前の和紙原料を用いて、表面が和紙の風合いを持った成形品を提案するものであって、和紙原料を材料とすることによって、例えば円空仏のような刃物の細かな彫り跡が顕著に表現された成形品を提供することを目的とするものである。また、この考案は、和紙の風合いや味わい持った、従来にない創作性の高い作品を提供しようとするものである。
【課題を解決するための手段】
【０００４】
すなわち、請求項１の考案は、和紙原料を水に溶かした面状の成形材料を成形型の型面に付着させ水分を除去して脱型して中空の立体形状としたことを特徴とする和紙成形品に係る。
【０００５】
請求項２の考案は、前記成形材料がこうぞ、パルプ、糊の水溶物から構成されている請求項１に記載の和紙成形品に係る。
【０００６】
請求項３の考案は、前記成形材料に着色材が混入されている請求項１又は２に記載の和紙成形品に係る。
【０００７】
請求項４の考案は、前記成形型の型面に付着される成形材料が、厚み１〜４ｍｍ、大きさが一辺１００〜３００ｍｍの方形面状物から構成される請求項１ないし３のいずれか１項に記載の和紙成形品に係る。
【０００８】
請求項５の考案は、前記成形型の一方の側から他方の側へ流通路が形成されていて、前記流通路から型内に流通される乾燥用エアによって型内の成形材料の水分が強制除去される請求項１ないし４のいずれか１項に記載の和紙成形品に係る。
【０００９】
請求項６の考案は、成形品の表面に柿渋等の塗料が塗布されている請求項１ないし５のいずれか１項に記載の和紙成形品に係る。
【００１０】
請求項７の考案は、成形品が置物又は壁掛け若しくはオブジェである請求項１ないし６のいずれか１項に記載の和紙成形品に係る。
【００１１】
請求項８の考案は、前記中空部に光源が配置されて成形品が光透過されるように構成された請求項７に記載の和紙成形品に係る。
【考案の効果】
【００１２】
請求項１の考案に係る和紙成形品によれば、和紙原料を水に溶かした面状の成形材料を成形型の型面に付着させ水分を除去して脱型して中空の立体形状としたことを特徴とするものであるから、和紙を製造する直前の和紙原料を用いて、表面が和紙の風合いを持った成形品を提供することができる。和紙原料を材料とすることによって、例えば円空仏のような刃物の細かな彫り跡が顕著に表現された成形品を提供することができ、和紙の風合いや味わい持った、従来にない創作性の高い作品を提供することができる。
【００１３】
請求項２の考案に係る和紙成形品によれば、前記成形材料がこうぞ、パルプ、糊の水溶物から構成されているものであるから、まさしく、和紙そのものの風合いや味わいを備えることができる。
【００１４】
請求項３の考案に係る和紙成形品によれば、請求項１又は２において、前記成形材料に着色材が混入されているものであるから、必要に応じて、各種の色合いを選択することができる。
【００１５】
請求項４の考案に係る和紙成形品によれば、請求項１ないし３のいずれか１項において、前記成形型の型面に付着される成形材料が、厚み１〜４ｍｍ、大きさが一辺１００〜３００ｍｍの方形面状物から構成されるものであるから、成形型の形状や成形品に応じて、適宜の材料を使用してより創造性の高い製品を得ることができる。
【００１６】
請求項５の考案に係る和紙成形品によれば、請求項１ないし４のいずれかにおいて、前記成形型の一方の側から他方の側へ流通路が形成されていて、前記流通路から型内に流通される乾燥用エアによって型内の成形材料の水分が強制除去されるものであるから、水分除去を短時間に行うことができ、製造の経済性を高めることができる。
【００１７】
請求項６の考案に係る和紙成形品によれば、請求項１ないし５のいずれかにおいて、成形品の表面に柿渋等の塗料が塗布されているものであるから、耐水、耐候性及び耐久性が向上する。また、美麗さも高まる。
【００１８】
請求項７の考案に係る和紙成形品によれば、請求項１ないし６のいずれかにおいて、成形品が置物又は壁掛け若しくはオブジェであるから、生活の文化度を向上させることができる。
【００１９】
請求項８の考案に係る和紙成形品によれば、請求項７において、前記中空部に光源が配置されて成形品が光透過されるように構成されたものであるから、和紙の風合いと相まって、いっそうと幽玄な雰囲気を醸しだし、高い創作性、芸術性を備えた製品とすることができる。
【考案を実施するための最良の形態】
【００２０】
以下添付の図面に従ってこの考案を詳細に説明する。図１はこの考案の一実施例の和紙成形品の斜視図、図２は図１の背面側斜視図、図３は座板に載置された和紙成形品の斜視図、図４は壁掛けとして背板に配置された和紙成形品の斜視図、図５は図１の和紙成形品の成形状態を表す断面図である。
【００２１】
この考案の実施例に係る和紙成形品は、例えば図１及び図２の仏像彫刻品１０として表しその成形状態を図５の断面図に示したように、和紙原料を水に溶かした面状の成形材料２０を成形型３０（割型３１，３２）の型面３５、３６に付着させ水分を除去して脱型して中空の立体形状としたことを特徴とするものである。図において、符号１０Ａは仏像彫刻品の頭部、１０Ｂは胴部、１０Ｃは底部（脚部）、３３は型合わせ面を表す。
【００２２】
この考案の和紙成形品を構成する成形材料２０は、和紙原料を水に溶かした面状のものであって、請求項２の考案として規定したように、こうぞ、パルプ、糊の水溶物から構成されることによって、まさしく、和紙そのもの風合いや味わいを備えることができる。なお、請求項３の考案のように、必要により、この成形材料２０に着色材を混入してもよいものである。
【００２３】
また、この成形材料２０は、請求項４の考案として規定したように、厚み１〜４ｍｍ、大きさが一辺１００〜３００ｍｍの方形面状物から構成することが前記成形型３１，３２の型面３５，３６に付着するのに便宜である。成形材料２０は、水に溶かした和紙原料を例えばすのこやガーゼ等の上に置いて水切りをして、成形型の形状や成形品に応じた適宜の大きさの面状物として、型面に３５、３６に手張りされる。図示のような割型３１，３２の場合には、それぞれの割型面３５，３６に成形材料２０を張り付けた後、型合わせ面３３で合着される。このような、水溶性和紙原料からなる成形材料２０を用いることによって、図示した円空仏１０のような刃物の細かな彫り跡が顕著に転写された成形品を得ることができるともに、成形面の厚みや濃淡が自然で、まさしく和紙そのもの風合いや味わいを持った、従来にない創作性の高い作品を提供することができるのである。
【００２４】
なお、図５に図示し請求項５の考案として規定したように、成形型３０の一方の側から他方の側へ流通路４１，４２が形成されていて、前記流通路から型内に流通される乾燥用エアａによって型内の成形材料２０の水分が強制除去されるものにあっては、成形材料２０の水分除去を短時間に行うことができ、製造の経済性を高めることができる。図２及び図５の仏像彫刻品１０の頭部１０Ａ後部に設けた穴１９は、前記乾燥用エアａのための排出孔である。大型の成形品にあってはこのような排出孔１９を設けて、乾燥用の熱風ａを圧送、吸引することに効果的に水分除去を行うことができる。
【００２５】
成形後水分を除去した成形品は脱型されて和紙成形品１０とされる。脱型に際しては、いわゆるアンダーカット部（凹陥部）が生ずることがあるが、成形品は基本的には紙製品であるからある程度の変形は自在でいわゆる無理抜きも可能である。もちろん、必要により金型を分割したり入れ子型など公知の手法を用いてもよい。
【００２６】
成形後、請求項６の考案として規定したように、成形品の表面に柿渋等の塗料を塗布することもできる。例えば、柿渋を塗布された和紙成形品は、あたかも和傘（唐傘）のような耐水、耐候性及び耐久性を備えることができる。あるいは、ワニスなどの塗料を塗布することによって、成形品の外観美麗さも高めることができる。
【００２７】
この考案に係る和紙成形品は、請求項７の考案としても規定したように、図１及び図２に図示した仏像彫刻品１０のような置物、オブジェのほか、図３に図示のような人形１１や図４のような壁掛け１２とすることも可能である。図３の符号１５は座板、図４の符号１６は背板であり、和紙成形品１１，１２は公知の手段によってそれらに取付けられている。
【００２８】
さらに、考案の和紙成形品は、図示した置物１０、オブジェ、人形１１、壁掛け１２のいずれもが、その中空部に図３に図示のように光源Ｌが配置されて成形品が光透過されるように構成されてもよいものである。このように構成された和紙成形品にあっては、和紙の風合いと相まって、いっそうと幽玄な雰囲気を醸しだし、高い創作性、芸術性を備えた製品とすることができる。
【図面の簡単な説明】
【００２９】
【図１】この考案の一実施例の和紙成形品の斜視図である。
【図２】図１の背面側斜視図である。
【図３】座板に載置された和紙成形品の斜視図である。
【図４】壁掛けとして背板に配置された和紙成形品の斜視図である。
【図５】図１の和紙成形品の成形状態を表す断面図である。
【符号の説明】
【００３０】
１０  和紙成型品（置物）
１１  和紙成型品（人形）
１２  和紙成型品（壁掛け）
２０  成形材料
３０  成形型
Ｌ  光源
【図１】
0003144905.tif 000003
【図２】
0003144905.tif 000004
【図３】
0003144905.tif 000005
【図４】
0003144905.tif 000006
【図５】
0003144905.tif 000007